(57)【特許請求の範囲】
【請求項１】
空気式農業用タイヤであって、
第１のトレッドラグ列と第２のトレッドラグ列とを含む円周トレッドであって、前記第１のトレッドラグ列と前記第２のトレッドラグ列とは、前記トレッドの第１の肩部および第２の肩部から前記タイヤの赤道面へ延び、前記トレッドラグは、トレッドフロアからラグの高さだけ上方に延びる、円周トレッドと、
前記ラグは、前記タイヤの回転軸へ角度を以て延びて前記タイヤの回転方向を規定し、これにより、前記タイヤが前方方向に回転すると、各ラグの軸方向内端が地面と係合した後、前記ラグの軸方向外端が地面と係合し、
各ラグは、前記ラグの先端と前記ラグの立ち下り縁との間に規定されたラジアル方向に外側の地面係合面を有し、
各ラグの先端は、前記赤道面に向かって部分的に対向する内側先端と、各肩部に向かって部分的に対向する外側先端と、前記内側先端および前記外側先端を接合させる直線状のノーズ縁部とを含み、前記各肩部から前記ラグが延び、
前記トレッドフロアから前記ノーズ縁部へ上方に延びるノーズ壁部であって、前記ノーズ壁部は前根元を有し、前記前根元はノーズリッジを有し、前記ノーズリッジは、前記トレッドフロアからトレッド高さのうち少なくとも半分へ上方に延び、前記ノーズリッジの曲率半径は１／２インチ以下であり、前記ノーズリッジは、前記直線状のノーズ縁部の中間点に向かって延び、前記ノーズリッジは、２０°〜６０°のノーズ角度においてラジアル面へ延びる、ノーズ壁部と、を含む、タイヤ。
【請求項２】
前記直線状のノーズ壁部は、第１のノーズ壁側部および第２のノーズ壁側部を含み、前記第１のノーズ壁側部および第２のノーズ壁側部は、前記トレッドフロアから上方に延び、前記ノーズリッジで接合される、
請求項１に記載のタイヤ。
【請求項３】
前記ノーズリッジは、前記直線状のノーズ縁部の中間点までずっと延びる、
請求項２に記載のタイヤ。
【請求項４】
前記直線状のノーズ縁部の前記中間点は、前記直線状のノーズ縁部の中点である、
請求項１に記載のタイヤ。
【請求項５】
前記ノーズリッジは、前記ラグの高さの１／２〜３／４で終端し、その後、前記ノーズ壁側部は共に上側ノーズ表面と一体化して、識別できるノーズリッジが無くなり、前記上側ノーズ表面は、前記直線状のノーズ縁部へ延びる、
請求項２に記載のタイヤ。
【請求項６】
前記直線状のノーズ縁部は、前記タイヤの回転軸に対して実質的に平行に延びる、
請求項１に記載のタイヤ。
【請求項７】
前記ノーズ角度は、４０°〜５０°の範囲にある、
請求項１に記載のタイヤ。
【請求項８】
前記ノーズ角度は、３５°〜４５°の範囲にある、
請求項１に記載のタイヤ。
【請求項９】
前記ノーズリッジは、前記タイヤの前記回転軸に対して実質的に垂直にかつ前記タイヤの前記回転軸から非ラジアル方向に延びる、
請求項１に記載のタイヤ。
【請求項１０】
各ラグは、前記タイヤの前記赤道面に実質的に延びるが、前記タイヤの前記赤道面を横断しない、
請求項１に記載のタイヤ。
【請求項１１】
各ラグのラジアル方向外面の軸方向内端は、実質的に円周方向に延びる内側横方向縁によって規定される、
請求項１に記載のタイヤ。
【請求項１２】
第１のトレッドラグ列と第２のトレッドラグ列とを含む円周トレッドであって、前記第１のトレッドラグ列と前記第２のトレッドラグ列とは、前記トレッドの第１の肩部および第２の肩部から前記タイヤの赤道面へ延び、前記トレッドラグは、トレッドフロアからラグの高さだけ上方に延びる、円周トレッドを含む、空気式農業用タイヤであって、
前記ラグは、前記タイヤの回転軸へ角度を以て延びて前記タイヤの回転方向を規定し、
これにより、前記タイヤが前方方向に回転すると、各ラグの軸方向内端が地面と係合した後、前記ラグの軸方向外端が地面と係合し、
各ラグは、前記ラグの先端と前記ラグの立ち下り縁との間に規定されたラジアル方向に外側の地面係合面を有し、
各ラグの先端は、前記赤道面に向かって部分的に対向する内側先端と、各肩部に向かって部分的に対向する外側先端と、前記内側先端および前記外側先端を接合させる直線状のノーズ縁部とを含み、前記各肩部から前記ラグが延び、
各ラグは、前記トレッドフロアから前記先端へ隆起する前壁部を有し、前記前壁部は、楔形状の前ノーズを含み、前記楔形状の前ノーズは、前記トレッドフロアから隆起し、前記立ち下り方向において傾斜し、前記直線状のノーズ縁部の中間点に向かって延びるため、面の刈株が前記楔形状の前ノーズと係合して前記楔形状の前ノーズによって押し退けられ、これにより、前記前壁部の根元における刈株損傷が低減する、
タイヤ。
【請求項１３】
前記楔形状の前ノーズは、識別できるノーズリッジを有し、前記識別できるノーズリッジは、隣接する前記トレッドフロアから前記ラグの高さの少なくとも１／２にわたる、
請求項１２に記載のタイヤ。
【請求項１４】
前記識別できるノーズリッジは、前記ラグの前記先端までずっと延びる、
請求項１３に記載のタイヤ。
【請求項１５】
前記識別できるノーズリッジの曲率半径は、１／２インチ以下である、
請求項１３に記載のタイヤ。
【請求項１６】
前記識別できるノーズリッジの曲率半径は、０．３インチ以下である、
請求項１３に記載のタイヤ。
【請求項１７】
前記楔形状の前ノーズは、２つのノーズ壁側部によって形成され、前記２つのノーズ壁側部は、前記トレッドフロアから隆起し、前記ノーズリッジで接合される、
請求項１３に記載のタイヤ。
【請求項１８】
前記２つのノーズ壁側部は、前記ラグの高さの少なくとも１／２へ延びる、
請求項１７に記載のタイヤ。
【請求項１９】
前記ノーズリッジは、前記ラグの高さの１／２〜３／４で終端し、その後、前記ノーズ壁側部は共に上側ノーズ表面と一体化して、識別できるノーズリッジが無くなり、前記上側ノーズ表面は、前記直線状のノーズ縁部へ延びる、
請求項１８に記載のタイヤ。
【請求項２０】
前記２つのノーズ壁側部と、前記識別できるノーズリッジとは、前記直線状のノーズ縁部までずっと延びる、
請求項１８に記載のタイヤ。
【発明の詳細な説明】
【技術分野】
【０００１】
本発明は、主に農業用タイヤに関し、より詳細には、限定するものではないが、穀物畑などのためのタイヤに関し、このようなタイヤは切断された穀物の鋭利な刈株との係合に起因して時としてタイヤが損傷することがある。
【背景技術】
【０００２】
図１は、第１のトレッドラグ列と第２のトレッドラグ列と（例えば、１２，１４）を有する典型的な従来技術農業用タイヤ１０を示す。トレッドラグはそれぞれ、直線状のノーズ縁部部（例えば、１６）を備えた先端を有する。
【０００３】
図２は、図１のラグ１２の拡大図であり、直線状のノーズ縁部１６をさらに特定する。ノーズ壁部１８は、ノーズ縁部１６から下方においてトレッドフロア２０へ延びる。ノーズ壁部１８は、典型的には０°〜１８°の範囲の極めて浅い角度２２において、タイヤ１０の回転軸から延びるラジアル線２４へと設けられる。
【０００４】
ノーズ壁部１８およびノーズ縁部１６は、タイヤが使用時において前方方向に回転する際に地面と係合するラグ１２の第１の部位である。従来技術のタイヤ１０の場合、ノーズ壁部１８のベースが損傷し易い。図３は、タイヤ１０のような従来技術のタイヤの写真であり、このような損傷が２つのラグのノーズ壁部のベースにある様子を示す。
【０００５】
図４は、図３の最上部の拡大図であり、ラグのノーズ壁部の下部への損傷を示す。
【発明の概要】
【発明が解決しようとする課題】
【０００６】
当該分野において、図３，図４に示すような損傷を最小限にするための向上したラグ設計が未だ求められている。
【課題を解決するための手段】
【０００７】
第１の実施形態において、空気式農業用タイヤは、円周トレッドを含む。円周トレッドは、第１のトレッドラグ列と第２のトレッドラグ列とを含む。第１のトレッドラグ列と第２のトレッドラグ列とは、トレッドの第１の肩部および第２の肩部からタイヤの赤道面へ延びる。トレッドラグは、トレッドフロアからラグの高さだけ上方に延びる。ラグは、タイヤの回転軸にタイして角度を以て延びて、タイヤが前方方向に回転しているときに各ラグの軸方向内端が地面の係合と係合した後にラグの軸方向に外端地面と係合するように、タイヤの回転方向を規定する。各ラグのラジアル方向に外側の地面係合面は、ラグの先端とラグのの立ち下り縁との間に規定される。各ラグの先端は、赤道面に部分的に対向する内側先端と、各肩部に部分的に対向する外側先端と、ノーズ縁部とを含む。各肩部から、ラグが延びる。ノーズ縁部は、内側先端および外側先端を接合する。ノーズ壁部は、トレッドフロアからノーズ縁部へ上方に延びる。ノーズ壁部は、前根元を有する。前根元は、ノーズリッジを有する。ノーズリッジは、トレッドフロアから少なくともトレッド高さの半分へと上方に延びる。ノーズリッジの曲率半径は、１／２インチと同じ位である。ノーズリッジは、ラジアル面に対して約２０°〜約６０°のノーズ角度で延びる。
【０００８】
本発明の別の態様において、空気式農業用タイヤの各ラグは、ラジアル方向に外側の地面係合面を有する。ラジアル方向に外側の地面係合面は、ラグの先端と、ラグの立ち下り縁との間に規定される。各ラグの先端は、赤道面に部分的に対向する内側先端と、各肩部に部分的に対向する外側先端とを含む。各肩部から、ラグが延びる。各ラグは、前壁部を有する。前壁部は、トレッドフロアから先端へ隆起する。前壁部は、楔形状の前ノーズを含む。楔形状の前ノーズは、トレッドフロアから隆起し、立ち下り方向に傾斜して、地面の刈株が楔形状の前ノーズと係合して楔形状の前ノーズによって押し退けられ、これにより、前壁部の根元における刈株損傷が低減する。
【０００９】
以下の開示を添付図面と共に読めば、本発明の多くの目的特徴および利点が当業者にとって容易に明らかとなろう。
【図面の簡単な説明】
【００１０】
【図１】従来技術の農業用タイヤの斜視図である。
【図２】図１のタイヤの拡大図である。
【図２Ａ】図２の線２Ａ−２Ａにおける断面図である。
【図３】図１のタイヤと同様のタイヤの写真であり、刈株損傷を示す。
【図４】図３の刈株損傷の拡大写真である。
【図５】本発明のラグ設計の第１の実施形態を採用したタイヤのトレッドの斜視図である。
【図５Ａ】図５のタイヤの軸方向の内側ラグ端の１つの拡大模式図であり、ラグ壁部の外面の主要破断線および外面を示す。
【図５Ｂ】図５Ａの線５Ｂ−５Ｂにおける断面図であり、ノーズリッジ角度を示す。
【図６】図５と同様の図であり、本発明のラグ設計の第２の実施形態である。
【図６Ａ】図６のタイヤの軸方向の内側ラグ端の拡大模式図であり、ラグ壁部の主要破断線および外面を示す。
【図６Ｂ】図６Ａの線６Ｂ−６Ｂにおける断面図であり、ノーズリッジ角度を示す。
【図７】図５と同様の図であり、本発明のラグ設計の第３の実施形態を示す。
【図７Ａ】図７のタイヤの軸方向の内側ラグ端のうちの１つの拡大模式図であり、ラグ壁部の主要破断線および外面を示す。
【図７Ｂ】線７Ｂ−７Ｂにおける断面図であり、ノーズリッジ角度を示す。
【図８】図５と同様のタイヤの模式的なラジアル方向断面図である。
【図９】図５のタイヤのトレッドのラグの地面係合面の模式的配置図である。
【発明を実施するための形態】
【００１１】
以下、本明細書中において用いられる選択された用語の定義を示す。これらの定義は、用語の範囲に入り、実施に用いられる構成要素の多様な例および／または形態を含む。これらの例は、限定するものではない。用語の単数形および複数形のいずれも、これらの定義内であり得る。
【００１２】
「軸方向」および「軸方向に」とは、タイヤの回転軸に対して平行な方向を指す。
【００１３】
「円周」とは、軸方向に対して垂直な環状トレッドの表面の周囲に沿って延びる線または方向である。
【００１４】
「赤道面（ＥＰ）」とは、タイヤの回転軸に対して垂直で、かつタイヤのトレッド中心を通過する面を指す。
【００１５】
「ラジアル」および「ラジアル方向に」とは、タイヤの回転軸に対して垂直な方向を指す。
【００１６】
本願中、方向は、タイヤの回転軸に対する方向としても示す。「上方」および「上方に」とは、タイヤのトレッドに向かう方向を主に指し、「下方」および「下方に」とは、タイヤの回転軸に向かう方向を主に指す。よって、「上側」および「下側」などの相対的方向を示す用語が要素と関連して用いられた場合、「上側」要素は、「下側」の要素よりもトレッドに近接し配置されていることを示す。さらに、「上方」または「下方」などの相対的方向を示す用語が要素と関連して用いられる場合、別の要素の「上方」にある要素がその他の要素よりもトレッドに近接していることを示す。「軸方向に内側」および「軸方向に内側に」という用語は、タイヤ赤道面に向かう方向を主に指し、「軸方向に外側」および「軸方向に外側に」という用語は、タイヤ赤道面から離隔方向においてタイヤの側壁部に向かう方向を主に指す。
【００１７】
「含む」という用語が本明細書または特許請求の範囲において用いられる範囲において、「備える」という用語と同様の意味として用いられることが意図される。なぜならば、この「含む」という用語が請求項において用いられた場合、移行語として用いられるからである。さらに、「または」という用語（例えば、ＡまたはＢ）が用いられる範囲において、「ＡまたはＢまたは双方」を意味することが意図される。本明細書中、「ＡまたはＢのみであり双方ではない」ことを意味する場合、「ＡまたはＢのみであり双方ではない」という表現が用いられる。よって、本明細書中において「または」という用語が用いられる場合、排他的なものとしてではなく、包含的なものとして用いられる。Ｂｒｙａｎ  Ａ．Ｇａｒｎｅｒ（Ａ  Ｄｉｃｔｉｏｎａｒｙ  ｏｆ  Ｍｏｄｅｒｎ  Ｌｅｇａｌ  Ｕｓａｇｅ６２４（２ｄ．Ｅｄ．１９９５））を参照されたい。また、本明細書中または請求項において「〜内」または「〜内へ」という用語が用いられる範囲において、「〜上」または「〜上に」という意味も含まれることが意図される。さらに、本明細書中または請求項において「接続（する）」という用語が用いられる範囲において、「直接的に接続された」という意味だけでなく「間接的に接続された」という意味（例えば、別の構成要素または複数の構成要素を介した接続）も含まれる。
【００１８】
図５，図５Ａ，図５Ｂの実施形態
ここで図５を参照して、空気式農業用タイヤの第１の実施形態が図示され、参照符号３０によって主に参照される。タイヤ３０のラジアル断面が図８中に模式的に示される。図５のタイヤの地面係合面の配置図を図９に示す。本明細書中に開示されるタイヤ設計を用い得る農業用装置のいくつかの非限定的例を挙げると、トラクター（フロントタイヤおよびリアタイヤ双方）、自走式噴霧器、コンバイン、動力付き装置などがある。
【００１９】
タイヤ３０は、円周トレッド３２を含む。円周トレッド３２は、第１のトレッドラグ列３４と第２のトレッドラグ列３６とを含む。第１のトレッドラグ列３４と第２のトレッドラグ列３６とは、トレッドの第１の肩部および第２の肩部３８，４０からタイヤの赤道面４２へ延びる。第１の行３４の個々のラグは、図５に示すように、３４Ａ，３４Ｂなどとして参照され得る。図８に示すように、トレッドラグ３４，３６は、トレッドフロア４４からラグの高さ４６だけ上方に延びる。各ラグ３４，３６は好適には、赤道面４２に対して実質的に延びるが、赤道面４２を横断しない。
【００２０】
図９に示すように、ラグは、タイヤの回転軸５０に対してラグ角度４８で延びてタイヤの回転方向を規定し、タイヤ前方方向に回転した場合、各ラグの軸方向の内端５２が地面と係合した後、ラグの軸方向の外端５４が地面と係合する。
【００２１】
各ラグは、ラジアル方向に外側の地面係合面を有する（例えば、図５に示すラグ３４Ａの表面５６および図５Ａの拡大図中のもの）。
【００２２】
ラジアル方向に外側の地面係合面５６は、ラグの先端５８と、ラグの立ち下り縁６０との間に規定される。先端５８は、赤道面４２に向かって部分的に対向する内側先端６２と、各肩部３８に向かって部分的に対向する外側先端６４とを含む。各肩部３８から、ラグ３４Ａが延びる。先端５８は、内側先端６２および外側先端６４を接合させるノーズ縁部６６をさらに含む。図５の実施形態において、ノーズ縁部６６は、直線状のノーズ縁部である。以下にさらに記載するように、図６の実施形態においても、ノーズ縁部は直線状のノーズ縁部である。図７の実施形態において、ノーズ縁部は、曲線状のノーズ縁部である。
【００２３】
ラグのラジアル方向の外面５６の軸方向の内端は、実質的に円周方向に延びる内側横方向縁６１によって規定される。
【００２４】
ノーズ壁部６８は、トレッドフロア４４から上方にノーズ縁部６６へ延びる。ノーズ壁部６８は、前根元７０を有する。前根元７０は、ノーズリッジ７２を有する。ノーズリッジ７２は、トレッドフロア４４から上方において、トレッド高さ４６のうち少なくとも半分へ延びる。ノーズリッジ７２は、タイヤの回転軸５０からラジアル方向に対して実質的に垂直にかつ非ラジアル方向に延びる。
【００２５】
図５，図５Ａの実施形態において、ノーズ壁部６８は、第１のノーズ壁側部７４および第２のノーズ壁側部７６を含む。第１のノーズ壁側部７４および第２のノーズ壁側部７６は、トレッドフロア４４から上方に延び、ノーズリッジ７２で接合される。
【００２６】
図５，図５Ａの実施形態において、第１のノーズ壁側部７４および第２のノーズ壁側部７６は、直線状のノーズ縁部６６までずっと延びるため、ノーズリッジ７２も、直線状のノーズ縁部６６までずっと延びる。直線状のノーズ縁部６６において、ノーズリッジ７２は、中間点７８においてノーズ縁部６６に接合する。中間点７８は好適には、直線状のノーズ縁部６６のほぼ中点である。
【００２７】
図５Ａを参照すれば、ノーズ壁側部７６，７８それぞれに４つの縁を設けているが、これらは実際は平面状の部材ではないことが理解される。これらの縁はそれぞれ、若干ねじれた４面の形状をしている。ノーズ壁側部７４，７６が共に接合するこよにうおち、ノーズリッジ７２が形成される。ノーズリッジ７２の中心線を図５Ａ中に線によって模式的に示すが、ノーズリッジ７２は一定レベルの曲率または半径を常に有することが理解される。さらに、図７の実施形態について詳述するように、特に曲線状ノーズ縁部６６が図７に示すように用いられる場合、ノーズリッジは、実際に有意な曲率半径を持ち得る。一般的に、ノーズリッジの曲率半径は、１／２インチ以下である。別の実施形態において、ノーズリッジの曲率半径は、０．３インチ以下である。
【００２８】
図５Ａの線５Ｂ−５Ｂにおける断面図である図５Ｂに示すように、ノーズリッジ７２は、ノーズ角度８０において延びる。ノーズ角度８０は好適には、ラジアル面（例えば、８２）に対して約２０°〜約６０°の範囲である。
【００２９】
別の実施形態において、ノーズ角度８２は、約３０°〜約５０°の範囲内にあり得、さらに別の実施形態において、ノーズ角度は、約３５°〜約４５°の範囲内にあり得る。
【００３０】
図９に最もわかりやすくように、直線状のノーズ縁部６６は、タイヤ３０の回転軸５０に対して実質的に平行に延びる。
【００３１】
図５Ａ中の拡大図に示すようなノーズ壁部６８は、トレッドフロア４４から先端６６へ隆起する前壁部６８としても記載され得る。前壁部６８は、ノーズ側壁部７４，７６によって形成された楔形状の前ノーズを含む。楔形状の前ノーズは、トレッドフロア４４から隆起し、図５Ｂに示すように立ち下り方向において角度８０だけ傾斜する。
【００３２】
ノーズ側壁部７４，７６によって形成された楔形状の前ノーズは、排障器または前スコップと同様に機能して、タイヤ３０上において回転している以前切断された作物からの地面の刈株がタイヤ３０と係合し、楔形状の前ノーズによって押し退けられ、これにより、前壁部６８の根元７０における刈株損傷が低減する。
【００３３】
ノーズリッジ７２は、トレッドフロア４４からラグの高さ４６のうち少なくとも半分へ延びる、識別可能なノーズリッジとしてさらに記載され得る。図５Ａの実施形態において、このノーズリッジは、ノーズ縁部６６までずっと延びるため、ラグの高さ４６全体に延びる。
【００３４】
図６，図６Ａ，図６Ｂの実施形態
ここで図６，図６Ａ，図６Ｂを参照して、第２の実施形態について説明する。第２の実施形態は、ノーズ壁部の形状を除き、図５，図５Ａ，図５Ｂの実施形態と同様である。図６の実施形態において、図５の実施形態の特徴と実質的に同一である特徴は、図５について上記に用いた参照符号と同じ参照符号で示される。
【００３５】
図５，図６の実施形態の差は、図６Ａの拡大図を参照すれば最良に理解される。この差は、ノーズ壁部およびノーズ壁側部の形状の差である。
【００３６】
図６Ａに示すように、ノーズ縁部６６は、やはり直線状のノーズ縁部である（例えば、図５について上記したもの）。
【００３７】
改変されたノーズ壁部９０は、第１のノーズ壁側部９２および第２のノーズ壁側部９４を含む。第１のノーズ壁側部９２および第２のノーズ壁側部９４は、トレッドフロア４４から上方に延び、ノーズリッジ９６で接合される。
【００３８】
図６Ａの実施形態では、ノーズ縁部６６までずっと隆起する代わりに、ノーズ壁側部９２，９４と、両者の間に規定されたノーズリッジ９６とを高さ９８において終端させる。高さ９８は、トレッドフロア４４の上方のラグの高さ４６の２５％〜１００％の範囲であり、より好適には、トレッドフロア４４の上方のラグの高さ４６の１／２〜３／４である。その後、ノーズ壁側部９２，９４は共に上側ノーズ表面１００と一体化するため、識別できるノーズリッジは無くなる。上側ノーズ表面１００は、直線状のノーズ縁部６６へ延びる。
【００３９】
ここでも、図６Ａは模式図であり、ノーズリッジ９６の位置を線で示しているが、図６Ａ中に模式的に示すノーズリッジ９６および他の全ての破断線は全て、一定レベルの曲率を有する点が理解される。さらに、ノーズ壁側部９２，９４が共に上側ノーズ表面１００と一体化する位置を模式的に示す線１０２，１０４も、凹曲率を有する。
【００４０】
図６Ｂは、図６Ａの線６Ｂ−６Ｂにおける断面図であり、上側ノーズ表面１００のための上側ノーズ角度１０４と、ノーズリッジ９６のための下側ノーズ角度１０６とを主に示す。一実施形態において、上側ノーズ角度１０４は、約０°〜約２０°の範囲内であり得る。一実施形態において、下側ノーズ角度１０６は、約２０°〜約６０°の範囲内であり得、より好適には約３０°〜約５０°の範囲内であり得、最も好適には約３５°〜約４５°の範囲内であり得る。
【００４１】
図７，図７Ａ，図７Ｂの実施形態
図７，図７Ａ，図７Ｂの実施形態が図５の実施形態と異なる点として、ノーズ縁部およびノーズ壁部の形状がある。図５の実施形態と類似する特徴については、図５について用いた参照符号と同じ参照符号を用いる。
【００４２】
図７Ａに最もわかりやすくように、図７の実施形態では、内側先端６２および外側先端６４は、曲率半径１１２が１／２インチ以下の曲線状ノーズ縁部１１０によって接合される。別の実施形態において、曲率半径１１２は、０．３インチ以下である。別の実施形態において、曲率半径１１２は、約０．２４インチである。
【００４３】
図７Ａのラグは、曲線状の傾斜ノーズ壁部１１４を有する。曲線状の傾斜ノーズ壁部１１４は、下方にずっと延びて、曲線状根元またはベース１１６へ到達する。曲線状根元またはベース１１６は、概してトレッドフロア４４に隣接する。図７Ａ中の破線は、ノーズリッジ１１８の中心線を主に示す。ノーズリッジ１１８は、曲線状ノーズ縁部１１０と同様の曲率を有し、トレッドフロア４４から曲線状ノーズ縁部１１０へ上方に延びる。
【００４４】
図７Ｂの断面図において、一実施形態において示すようなノーズ角度１２０は、約２０°〜約６０°の範囲である。別の実施形態において、角度１２０は、約３０°〜約５０°の範囲である。さらに別の実施形態において、角度１２０は、約３５°〜約４５°の範囲である。
【００４５】
付記
空気式農業用タイヤの例示的構造について記載した。開示の発明の付記として、以下の項が提供される。
【００４６】
（１）空気式農業用タイヤであって、
第１のトレッドラグ列と第２のトレッドラグ列とを含む円周トレッドであって、第１のトレッドラグ列と第２のトレッドラグ列とは、トレッドの第１の肩部および第２の肩部からタイヤの赤道面へ延び、トレッドラグは、トレッドフロアからラグの高さだけ上方に延びる、円周トレッドと、
ラグは、タイヤの回転軸へ角度を以て延びてタイヤの回転方向を規定し、これにより、タイヤが前方方向に回転すると、各ラグの軸方向内端が地面と係合した後、ラグの軸方向外端が地面と係合し、
各ラグは、ラグの先端とラグの立ち下り縁との間に規定されたラジアル方向に外側の地面係合面を有し、
各ラグの先端は、赤道面に向かって部分的に対向する内側先端と、各肩部に向かって部分的に対向する外側先端と、内側先端および外側先端を接合させる直線状のノーズ縁部とを含み、各肩部からラグが延び、
トレッドフロアからノーズ縁部へ上方に延びるノーズ壁部であって、ノーズ壁部は前根元を有し、前根元はノーズリッジを有し、ノーズリッジは、トレッドフロアからトレッド高さのうち少なくとも半分へ上方に延び、ノーズリッジの曲率半径は１／２インチ以下であり、ノーズリッジは、直線状のノーズ縁部の中間点に向かって延び、ノーズリッジは、２０°〜６０°のノーズ角度においてラジアル面へ延びる、ノーズ壁部と、を含む、タイヤ。
【００４７】
（２）直線状のノーズ壁部は、第１のノーズ壁側部および第２のノーズ壁側部を含み、第１のノーズ壁側部および第２のノーズ壁側部は、トレッドフロアから上方に延び、ノーズリッジで接合される、
項１に記載のタイヤ。
【００４８】
（３）ノーズリッジは、直線状のノーズ縁部の中間点までずっと延びる、
上記の項のいずれかに記載のタイヤ。
【００４９】
（４）直線状のノーズ縁部の中間点は、直線状のノーズ縁部の中点である、
上記の項のいずれかに記載のタイヤ。
【００５０】
（５）ノーズリッジは、ラグの高さの１／２〜３／４で終端し、その後、ノーズ壁側部は共に上側ノーズ表面と一体化して、識別できるノーズリッジが無くなり、上側ノーズ表面は、直線状のノーズ縁部へ延びる、
上記の項のいずれかに記載のタイヤ。
【００５１】
（６）直線状のノーズ縁部は、タイヤの回転軸に対して実質的に平行に延びる、
上記の項のいずれかに記載のタイヤ。
【００５５】
（７）ノーズ角度は、３０°〜５０°の範囲にある、
上記の項のいずれかに記載のタイヤ。
【００５６】
（８）ノーズ角度は、３５°〜４５°の範囲にある、
上記の項のいずれかに記載のタイヤ。
【００５７】
（９）ノーズリッジは、タイヤの回転軸に対して実質的に垂直にかつタイヤの回転軸
から非ラジアル方向に延びる、
上記の項のいずれかに記載のタイヤ。
【００５８】
（１０）各ラグは、タイヤの赤道面に実質的に延びるが、タイヤの赤道面を横断しない、
上記の項のいずれかに記載のタイヤ。
【００５９】
（１１）各ラグのラジアル方向外面の軸方向内端は、実質的に円周方向に延びる内側横
方向縁によって規定される、
上記の項のいずれかに記載のタイヤ。
【００６０】
（１２）  第１のトレッドラグ列と第２のトレッドラグ列とを含む円周トレッドであって、第１のトレッドラグ列と第２のトレッドラグ列とは、トレッドの第１の肩部および第２の肩部からタイヤの赤道面へ延び、トレッドラグは、トレッドフロアからラグの高さだけ上方に延びる、円周トレッドを含む空気式農業用タイヤであって、
ラグは、タイヤの回転軸へ角度を以て延びてタイヤの回転方向を規定し、これにより、
タイヤが前方方向に回転すると、各ラグの軸方向内端が地面と係合した後、ラグの軸方向
外端が地面と係合し、
各ラグは、ラグの先端とラグの立ち下り縁との間に規定されたラジアル方向に外側の地
面係合面を有し、
各ラグの先端は、赤道面に向かって部分的に対向する内側先端と、各肩部に向かって部
分的に対向する外側先端と、内側先端および外側先端を接合させる直線状のノーズ縁部とを含み、各肩部からラグが延び、
各ラグは、トレッドフロアから先端へ隆起する前壁部を有し、前壁部は、楔形状の前ノ
ーズを含み、楔形状の前ノーズは、トレッドフロアから隆起し、立ち下り方向において傾
斜し、前記直線状のノーズ縁部の中間点に向かって延びるため、面の刈株が楔形状の前ノーズと係合して楔形状の前ノーズによって押し退けられ、これにより、前壁部の根元における刈株損傷が低減する、
タイヤ。
【００６１】
（１３）楔形状の前ノーズは、識別できるノーズリッジを有し、識別できるノーズリッジは、隣接するトレッドフロアからラグの高さの少なくとも１／２にわたる、
項１２に記載のタイヤ。
【００６２】
（１４）識別できるノーズリッジは、ラグの先端までずっと延びる、
項１２または１３に記載のタイヤ。
【００６５】
（１５）識別できるノーズリッジの曲率半径は、１／２インチ以下である、
項１２〜１４のいずれに記載のタイヤ。
【００６６】
（１６）識別できるノーズリッジの曲率半径は、０．３インチ以下である、
項１２〜１５のいずれに記載のタイヤ。
【００６７】
（１７）楔形状の前ノーズは、２つのノーズ壁側部によって形成され、２つのノーズ壁
側部は、トレッドフロアから隆起し、ノーズリッジで接合される、
項１２〜１６のいずれに記載のタイヤ。
【００６８】
（１８）先端は、内側先端および外側先端を接合させる直線状のノーズ縁部を含み、
２つのノーズ壁側部は、ラグの高さの少なくとも１／２へ延びる、
項１２〜１７のいずれに記載のタイヤ。
【００６９】
（１９）ノーズリッジは、ラグの高さの１／２〜３／４で終端し、その後、ノーズ壁側
部は共に上側ノーズ表面と一体化して、識別できるノーズリッジが無くなり、上側ノーズ
表面は、直線状のノーズ縁部へ延びる、
項１２〜１８のいずれに記載のタイヤ。
【００７０】
（２０）２つのノーズ壁側部と、識別できるノーズリッジとは、直線状のノーズ縁部ま
でずっと延びる、
項１２〜１９のいずれに記載のタイヤ。
【００７１】
本発明の装置は、上記の目的および利点、ならびにその固有の目的および利点を容易に達成することが理解される。本発明の特定の好適な実施形態について本開示の目的のために例示および記載してきたが、当業者であれば、部品における配置構成および構造の多くの変更を想到可能であり、これらの変更は、本発明の範囲および趣旨の範囲に含まれる。
【図５】
0005876595.tif 000002
【図５Ａ】
0005876595.tif 000003
【図５Ｂ】
0005876595.tif 000004
【図６】
0005876595.tif 000005
【図６Ａ】
0005876595.tif 000006
【図６Ｂ】
0005876595.tif 000007
【図７】
0005876595.tif 000008
【図７Ａ】
0005876595.tif 000009
【図７Ｂ】
0005876595.tif 000010
【図８】
0005876595.tif 000011
【図９】
0005876595.tif 000012
【図１】
0005876595.tif 000013
【図２】
0005876595.tif 000014
【図２Ａ】
0005876595.tif 000015
【図３】
0005876595.tif 000016
【図４】
0005876595.tif 000017